(57)【要約】【課題】空気調和装置の室外ユニットにおける閉鎖弁と冷媒連絡配管との接合作業の作業性を向上させる。【解決手段】閉鎖弁取付構造２７は、空気調和装置１の室外ユニット２において閉鎖弁１８，１９を固定するためのものであって、基部３０，４０と、固定部５０とを備える。閉鎖弁１８，１９は、空気調和装置１の室内ユニット３に冷媒連絡配管１７ａ，１７ｂを介して接続される。基部３０，４０は、室外ユニット２の底フレーム２６から上方に延びる。固定部５０は、基部３０，４０に連続し、閉鎖弁１８，１９を固定する。そして、固定部５０に固定された状態の閉鎖弁１８，１９の下方には、空隙がある。【選択図】図６
2007147247.tif 000002
【特許請求の範囲】
【請求項１】
空気調和装置（１）の室外ユニット（２）において、前記空気調和装置（１）の室内ユニット（３）に冷媒連絡配管（１７ａ，１７ｂ）を介して接続される閉鎖弁（１８，１９）を固定するための閉鎖弁取付構造（２７）であって、
前記室外ユニット（２）の底フレーム（２６）から上方に延びる基部（３０，４０）と、
前記基部（３０，４０）に連続し、前記閉鎖弁（１８，１９）を固定する固定部（５０）と、
を備え、
前記固定部（５０）に固定された状態の前記閉鎖弁（１８，１９）の下方には、空隙がある、
閉鎖弁取付構造（２７）。
【請求項２】
前記基部（３０，４０）は、２本の柱状の部材から形成され、
前記固定部（５０）は、前記２本の柱状の部材の双方に連続する、
請求項１に記載の閉鎖弁取付構造（２７）。
【請求項３】
前記基部（３０，４０）と前記固定部（５０）とは、分割可能である、
請求項１又は２に記載の閉鎖弁取付構造（２７）。
【請求項４】
前記底フレーム（２６）は、前記室外ユニット（２）の内部に向けて膨出する膨出部（２６ａ）を有し、
前記基部（３０，４０）は、前記膨出部（２６ａ）の輪郭の少なくとも一部分と係合する係合部（３２ａ，４２ａ）を有する、
請求項１から３のいずれかに記載の閉鎖弁取付構造（２７）。
【請求項５】
底フレーム（２６）を有するケーシングと、
室内ユニット（３）に冷媒連絡配管（１７ａ，１７ｂ）を介して接続される閉鎖弁（１８，１９）と、
前記閉鎖弁（１８，１９）を固定するための閉鎖弁取付構造（２７）と、
を備え、
前記閉鎖弁取付構造（２７）は、
前記底フレーム（２６）から上方に延びる基部（３０，４０）と、
前記基部（３０，４０）に連続し、前記閉鎖弁（１８，１９）を固定する固定部（５０）と、
を有し、
前記閉鎖弁（１８，１９）の下方には、空隙がある、
空気調和装置（１）の室外ユニット（２）。
【請求項６】
前記閉鎖弁（１８，１９）は、ガス側閉鎖弁（１８）及び液側閉鎖弁（１９）を含み、
前記ガス側閉鎖弁（１８）と前記液側閉鎖弁（１９）とは、平面視において、前記ガス側閉鎖弁（１８）が前記液側閉鎖弁（１９）よりも正面側に位置するように、前後にオフセットされている、
請求項５に記載の空気調和装置（１）の室外ユニット（２）。
【発明の詳細な説明】
【技術分野】
【０００１】
本発明は、空気調和装置の室外ユニットにおいて閉鎖弁を固定するための閉鎖弁取付構造、及びこれを備える空気調和装置の室外ユニットに関する。
【背景技術】
【０００２】
ビル等の建物や一般の住宅において利用されている空気調和装置では、室内ユニットと室外ユニットとを冷媒連絡配管で接続するセパレート型のものが広く普及している。例えば、ビルに設置されるマルチタイプのセパレート型空気調和装置では、屋上等に室外ユニットが、各フロアの天井等に室内ユニットが配置され、ガス側冷媒連絡配管及び液側冷媒連絡配管によって室外ユニットと室内ユニットとを連絡させて冷媒回路を形成している。
【０００３】
このような空気調和装置の室外ユニットは、内部の冷媒回路の末端に、ガス側閉鎖弁及び液側閉鎖弁を備えている。これらの閉鎖弁は、現地において室外ユニット及び室内ユニットが配備された後に、室内ユニットからのガス側冷媒連絡配管及び液側冷媒連絡配管に接続され、その後、閉状態から開状態に切り換えられる。これにより、室外ユニットと室内ユニットとの間で冷媒が流通できるようになる。
【０００４】
ところで、従来の室外ユニットにおけるガス側閉鎖弁及び液側閉鎖弁は、特許文献１に示されるように、室外ユニットの底フレームに立脚する取付板によって固定される構造となっていることがある。このような取付板は、特許文献１の図中には明瞭には示されていないが、概ね図９に示す取付板１００のような形状をしていることが多い。取付板１００は、１枚の板状の部材がＬ字型に折り曲げられた形状となっており、折り曲げられた一方の部分１０１は室外ユニットの底フレームに面で接し、他方の部分１０２には閉鎖弁を挿入するための切り込み１０２ａ，１０２ｂが形成される。
【特許文献１】特開２００４−３７００７号公報
【発明の開示】
【発明が解決しようとする課題】
【０００５】
しかしながら、閉鎖弁がこのような取付板に固定されている場合には、閉鎖弁と冷媒連絡配管との接合が困難になる場合がある。例えば、閉鎖弁と冷媒連絡配管との接合がロウ付け（金属と金属とをロウを使い熱で接合すること）によって行われる場合には、接合部に当てるためのバーナー等の炎が取付板にまで及ぶ虞がある。また、取付板の前後で空間が仕切られてしまうため、作業スペースが制限されることとなり、結果として、接合作業を行う作業者の手の向きや工具を動かす角度等が制限を受けて、作業者が接合作業時に大かれ少なかれ不自由を強いられることになる。
【０００６】
本発明の目的は、空気調和装置の室外ユニットにおける閉鎖弁と冷媒連絡配管との接合作業の作業性を向上させることにある。
【課題を解決するための手段】
【０００７】
第１発明に係る閉鎖弁取付構造は、空気調和装置の室外ユニットにおいて閉鎖弁を固定するためのものであって、基部と、固定部とを備える。閉鎖弁は、空気調和装置の室内ユニットに冷媒連絡配管を介して接続される。基部は、室外ユニットの底フレームから上方に延びる。固定部は、基部に連続し、閉鎖弁を固定する。そして、固定部に固定された状態の閉鎖弁の下方には、空隙がある。
【０００８】
この閉鎖弁取付構造では、空気調和装置の室外ユニットの底フレームから上方に延びる基部に連続する固定部が、閉鎖弁を固定する。そして、固定部に固定された状態の閉鎖弁の下方、すなわち、固定部のうち閉鎖弁を固定している部分の下方には、基部が存在せず、空隙が広がっている。すなわち、この閉鎖弁取付構造は、主として、室外ユニットの底フレーム上に立脚する柱状の基部と、その基部により支えられる梁状の固定部とから構成される構造となっている。なお、基部と固定部とは一体的に形成されていてもよいし、別体となっていてもよい。
【０００９】
ところで、空気調和装置の室外ユニットを現地に設置する際には、室内ユニットへとつながる冷媒連絡配管に閉鎖弁を接合する作業が必要となる。このとき、例えば、従来のように、閉鎖弁取付構造が１枚の略長方形の板状の部材から成形される場合には、バーナー等の炎で閉鎖弁取付構造のロウ付け位置以外を焼いてしまったり、閉鎖弁取付構造自体によって空間が仕切られて作業スペースが制限されてしまったりする。他方、第１発明に係る閉鎖弁取付構造が採用された室外ユニットにおいては、閉鎖弁の下方が開放された空間となっているため、そうした問題が解消されることになる。
このように、この閉鎖弁取付構造では、空気調和装置の室外ユニットにおける閉鎖弁と冷媒連絡配管との接合作業の作業性が向上する。
【００１０】
第２発明に係る閉鎖弁取付構造は、第１発明に係る閉鎖弁取付構造であって、基部は、２本の柱状の部材から形成される。固定部は、２本の柱状の部材の双方に連続する。
この閉鎖弁取付構造では、梁状の固定部が２本の柱状の部材に連続する。すなわち、この閉鎖弁取付構造は、全体として門型の構造となっている。従って、この閉鎖弁取付構造では、閉鎖弁の下方に開放された空間を形成して閉鎖弁と冷媒連絡配管との接合作業の作業性を向上させつつ、全体としての強度を高めることができる。
【００１１】
第３発明に係る閉鎖弁取付構造は、第１発明又は第２発明に係る閉鎖弁取付構造であって、基部と固定部とは、分割可能である。
一般的に、空気調和装置の室外ユニットに取り付けられる閉鎖弁の数や大きさは、その空気調和装置の馬力やその空気調和装置が冷暖フリー型になっているか否かの違い等によって異なるものになる。従って、空気調和装置の機種が異なれば、用いられる閉鎖弁取付構造の形状も異なるものになる。
他方、第３発明に係る閉鎖弁取付構造では、柱状の基部と梁状の固定部とが別体であり、分割することが可能である。これにより、新機種の空気調和装置を開発する際には、固定部のみを新たに設計し直して、基部を共用することができる。
【００１２】
第４発明に係る閉鎖弁取付構造は、第１発明から第３発明のいずれかに係る閉鎖弁取付構造であって、底フレームは、室外ユニットの内部に向けて膨出する膨出部を有する。基部は、係合部を有する。係合部は、膨出部の輪郭の少なくとも一部分と係合する。
この閉鎖弁取付構造では、基部の特定の部分（係合部）が、底フレームに設けられた膨出部の少なくとも一部分と係合するようになっている。従って、この閉鎖弁取付構造では、この閉鎖弁取付構造と室外ユニットの底フレームとの位置合わせが容易になるとともに、閉鎖弁取付構造を底フレームに対してより強固に固定することができる。
【００１３】
第５発明に係る空気調和装置の室外ユニットは、ケーシングと、閉鎖弁と、閉鎖弁取付構造とを備える。ケーシングは、底フレームを有する。閉鎖弁は、室内ユニットに冷媒連絡配管を介して接続される。閉鎖弁取付構造は、閉鎖弁を固定するためのものである。閉鎖弁取付構造は、基部と、固定部とを有する。基部は、底フレームから上方に延びる。固定部は、基部に連続し、閉鎖弁を固定する。そして、閉鎖弁の下方には、空隙がある。
【００１４】
この空気調和装置の室外ユニットでは、閉鎖弁取付構造により閉鎖弁が固定される。この閉鎖弁取付構造では、室外ユニットの底フレームから上方に延びる基部に連続する固定部が、閉鎖弁を固定する。そして、固定部に固定された状態の閉鎖弁の下方、すなわち、固定部のうち閉鎖弁を固定している部分の下方には、基部が存在せず、空隙が広がっている。すなわち、この閉鎖弁取付構造は、主として、室外ユニットの底フレーム上に立脚する柱状の基部と、その基部により支えられる梁状の固定部とから構成される構造となっている。なお、基部と固定部とは一体的に形成されていてもよいし、別体となっていてもよい。
【００１５】
ところで、空気調和装置の室外ユニットを現地に設置する際には、室内ユニットへとつながる冷媒連絡配管に閉鎖弁を接合する作業が必要となる。このとき、例えば、従来のように、閉鎖弁取付構造が１枚の略長方形の板状の部材から成形される場合には、バーナー等の炎で閉鎖弁取付構造のロウ付け位置以外を焼いてしまったり、閉鎖弁取付構造自体によって空間が仕切られて作業スペースが制限されてしまったりする。他方、第５発明に係る室外ユニットにおいては、閉鎖弁の下方が開放された空間となっているため、そうした問題が解消されることになる。
このように、この室外ユニットでは、閉鎖弁と冷媒連絡配管との接合作業の作業性が向上する。
【００１６】
第６発明に係る空気調和装置の室外ユニットは、第５発明に係る空気調和装置の室外ユニットであって、閉鎖弁は、ガス側閉鎖弁及び液側閉鎖弁を含む。ガス側閉鎖弁と液側閉鎖弁とは、平面視において、ガス側閉鎖弁が液側閉鎖弁よりも正面側に位置するように、前後にオフセットされている。
【００１７】
この空気調和装置の室外ユニットでは、閉鎖弁取付構造によりガス側閉鎖弁と液側閉鎖弁が固定される。このとき、ガス側閉鎖弁は、液側閉鎖弁に対して室外ユニットの正面側にオフセットされた状態になる。このように、この室外ユニットでは、液側閉鎖弁よりも太い管を閉鎖するガス側閉鎖弁が正面から見て手前に存在することになるため、閉鎖弁と冷媒連絡配管との接合作業の作業性がより向上する。
【発明の効果】
【００１８】
第１発明に係る閉鎖弁取付構造では、空気調和装置の室外ユニットの底フレームから上方に延びる基部に連続する固定部が、閉鎖弁を固定する。そして、固定部に固定された状態の閉鎖弁の下方、すなわち、固定部のうち閉鎖弁を固定している部分の下方には、空隙がある。すなわち、この閉鎖弁取付構造は、主として、室外ユニットの底フレーム上に立脚する柱状の基部と、その基部により支えられる梁状の固定部とから構成される構造となっている。このように、この閉鎖弁取付構造では、閉鎖弁の下方が開放された空間となっているため、空気調和装置の室外ユニットにおける閉鎖弁と冷媒連絡配管との接合作業の作業性が向上する。
【００１９】
第２発明に係る閉鎖弁取付構造では、梁状の固定部が２本の柱状の部材に連続する。すなわち、この閉鎖弁取付構造は、全体として門型の構造となっている。従って、この閉鎖弁取付構造では、閉鎖弁の下方に開放された空間を形成して閉鎖弁と冷媒連絡配管との接合作業の作業性を向上させつつ、全体としての強度を高めることができる。
第３発明に係る閉鎖弁取付構造では、柱状の基部と梁状の固定部とが別体であり、分割することが可能である。これにより、新機種の空気調和装置を開発する際には、固定部のみを新たに設計し直して、基部を共用することができる。
【００２０】
第４発明に係る閉鎖弁取付構造では、基部の特定の部分（係合部）が、底フレームに設けられた膨出部の少なくとも一部分と係合するようになっている。従って、この閉鎖弁取付構造では、この閉鎖弁取付構造と室外ユニットの底フレームとの位置合わせが容易になるとともに、閉鎖弁取付構造を底フレームに対してより強固に固定することができる。
第５発明に係る空気調和装置の室外ユニットでは、閉鎖弁取付構造により閉鎖弁が固定される。この閉鎖弁取付構造では、室外ユニットの底フレームから上方に延びる基部に連続する固定部が、閉鎖弁を固定する。そして、固定部に固定された状態の閉鎖弁の下方、すなわち、固定部のうち閉鎖弁を固定している部分の下方には、空隙がある。すなわち、この閉鎖弁取付構造は、主として、室外ユニットの底フレーム上に立脚する柱状の基部と、その基部により支えられる梁状の固定部とから構成される構造となっている。このように、この室外ユニットでは、閉鎖弁の下方が開放された空間となっているため、閉鎖弁と冷媒連絡配管との接合作業の作業性が向上する。
【００２１】
第６発明に係る空気調和装置の室外ユニットでは、閉鎖弁取付構造によりガス側閉鎖弁と液側閉鎖弁が固定される。このとき、ガス側閉鎖弁は、液側閉鎖弁に対して室外ユニットの正面側にオフセットされた状態になる。このように、この室外ユニットでは、液側閉鎖弁よりも太い管を閉鎖するガス側閉鎖弁が正面から見て手前に存在することになるため、閉鎖弁と冷媒連絡配管との接合作業の作業性がより向上する。
【発明を実施するための最良の形態】
【００２２】
＜空気調和装置の構成＞
図１に、本発明の一実施形態に係る室外ユニット２を含む空気調和装置１の冷媒回路１０を示す。空気調和装置１は、ビル用のマルチタイプの空気調和装置であって、１つ又は複数の室外ユニット２に対して複数の室内ユニット３が並列に接続される構成となっている。空気調和装置１の冷媒回路１０は、主として、圧縮機１１、四路切換弁１２、室外熱交換器１３、室外膨張弁１４、室内膨張弁１５、室内熱交換器１６が順に接続されたものであり、蒸気圧縮式の冷凍サイクルとなっている。
【００２３】
圧縮機１１、四路切換弁１２、室外熱交換器１３及び室外膨張弁１４は室外ユニット２に含まれており、室内膨張弁１５及び室内熱交換器１６は室内ユニット３に含まれている。また、四路切換弁１２と室内熱交換器１６との間はガス側冷媒連絡配管１７ａにより接続され、室外膨張弁１４と室内膨張弁１５との間は液側冷媒連絡配管１７ｂにより接続される。冷媒連絡配管１７ａ，１７ｂは、室外ユニット２と室内ユニット３との間に配置される。また、室外ユニット２内には、アキュムレータやその他の付属機器も設けられているが、ここでは図示を省略している。
【００２４】
室外ユニット２の内部の冷媒回路の末端部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。これらの閉鎖弁１８，１９は、室外ユニット２や室内ユニット３を設置する時には閉状態にされている。そして、閉鎖弁１８，１９は、各ユニット２，３を現地に設置しガス側冷媒連絡配管１７ａ及び液側冷媒連絡配管１７ｂを閉鎖弁１８，１９に接続した後に開状態とされる。
【００２５】
図１に示す空気調和装置１の冷媒回路１０は、実際の回路を簡略化したものである。例えば、実際の圧縮機１１は、インバータにより回転数制御が為される容量可変の圧縮機（以下、インバータ圧縮機という。）と、オンオフ制御が為される定容量の圧縮機（以下、定容量圧縮機という。）とが設置物件の大小に対応して５，８，１０，１２，１４，１６，１８馬力（ＨＰ）といった様々な馬力を実現するように組み合わされてなることが多い。なお、本実施形態の説明においては、圧縮機１１として、１台のインバータ圧縮機１１ａと１台の定容量圧縮機１１ｂとが組み合わされているものとする（図４参照）。
また、室外ユニット２には、室外熱交換器１３に空気を当てて冷媒と空気との熱交換を促進させる室外ファン２９が設けられている（図２参照）。
【００２６】
＜空気調和装置の動作＞
次に、この空気調和装置１の運転動作について説明する。
まず、冷房運転時は、四路切換弁１２が図１において実線で示す状態に保持される。圧縮機１１から吐出された高温高圧のガス冷媒は、四路切換弁１２を介して室外熱交換器１３に流入し、室外空気と熱交換して凝縮・液化する。液化した冷媒は、全開状態の室外膨張弁１４を通過し、液側冷媒連絡配管１７ｂを通って各室内ユニット３に流入する。室内ユニット３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内へと吹き出され、室内を冷房する。また、室内熱交換器１６で蒸発して気化した冷媒は、ガス側冷媒連絡配管１７ａを通って室外ユニット２に戻り、圧縮機１１に吸入される。
【００２７】
一方、暖房運転時は、四路切換弁１２が図１において破線で示す状態に保持される。圧縮機１１から吐出された高温高圧のガス冷媒は、四路切換弁１２を介して各室内ユニット３の室内熱交換器１６に流入し、室内空気と熱交換して凝縮・液化する。冷媒の凝縮によって加熱された室内空気は、室内ファンによって室内へと吹き出され、室内を暖房する。室内熱交換器１６において液化した冷媒は、全開状態の室内膨張弁１５から液側冷媒連絡配管１７ｂを通って室外ユニット２に戻る。室外ユニット２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸入される。
なお、冷房運転時及び暖房運転時のいずれの場合においても、停止中の室内ユニット３の室内膨張弁１５は閉状態になっており、その室内ユニット３の室内熱交換器１６には冷媒が殆ど流れない。
【００２８】
＜室外ユニットの構成＞
次に、図２〜図９を参照して、室外ユニット２について詳述する。なお、図３、図４及び図７においては、説明を容易にするために、適宜、配管などについての図示を省略している。
【００２９】
図２は、室外ユニット２の外観図であり、図３は、ケーシングの一部や室外ファン２９を取り除いた状態での室外ユニット２の斜視図である。図３においては、閉鎖弁１８，１９及び閉鎖弁取付構造２７の図示を省略している。
ケーシングの左側面板２２、右側面板２４は、それぞれ支柱８１，８２、支柱８３，８４とともに一体に成形されている。側面板２２，２４には、室外ユニット２のケーシング内に空気を取り込むための開口２０が設けられている。ケーシングの背面板２３、正面板２１は、それぞれ支柱８１，８４、支柱８２，８３の外側に装着される。また、鉛直に延びる４本の支柱８１〜８４は、下端付近の底フレーム２６や上部の横ステー７２及びモータ支持台７３によって互いに連結されている。モータ支持台７３には、室外ファン２９を駆動するモータ７０が据え付けられている。ケーシングの天板２５は、その外周縁部が支柱８１〜８４あるいは側面板２２，２４や背面板２３に固定されており、室外ファン２９の羽根車の周囲に配置される略円筒形状のベルマウス２９ａとともに室外ユニット２の空気吹出口を形成する。そして、この天板２５には、ベルマウス２９ａに対応する円孔が開けられており、この円孔を覆うようにして格子状の軟鋼線のファンカバー（図示せず）が取り付けられている。また、正面板２１の裏には、空気調和装置１の動作を制御する制御基板を内部に備えるスイッチボックス７１が配置されている。
【００３０】
（閉鎖弁及び底フレーム）
図４は、室外ユニット２の高さ方向の中央部分から下方を見たときの平面図である。このように、底フレーム２６は、圧縮機１１や室外熱交換器１３などを支持するとともに、閉鎖弁取付構造２７を介して閉鎖弁１８，１９を固定する役割も果たしている。室外ユニット２のガス側閉鎖弁１８及び液側閉鎖弁１９は、互いに隣接して並べられている。そして、ガス側閉鎖弁１８及び液側閉鎖弁１９の並びの方向は、ケーシングの正面板２１に対しても側面板２２に対しても、概ね４５°の角度となっている。すなわち、ガス側閉鎖弁１８と液側閉鎖弁１９とは離れて配置されているとともに、左右方向（正面板２１に沿う方向）にオフセットされ、且つ前後方向（左側面板２２に沿う方向）にもオフセットされている。これにより、閉鎖弁１８，１９は、前後にも左右にも配管を引き出し易くなっているとともに、冷媒連絡配管１７ａ，１７ｂのラッキング（両管を保温テープで巻いたり化粧金属板でカバーしたりする）作業も楽になり、その太さも細くできて見栄えが良くなる。
【００３１】
図５は、底フレーム２６の平面図であり、図６は、底フレーム２６に形成される膨出部２６ａの、図５に示すＶＩ−ＶＩ方向の縦断面図である。図５には、参考のために、インバータ圧縮機１１ａ、定容量圧縮機１１ｂ及び閉鎖弁取付構造２７の取付け位置が一点鎖線で示されている。底フレーム２６の表面には、各部材が適切に固定されるように、膨出部２６ａを含む凹凸のパターンが描かれている。膨出部２６ａは、室外ユニット２の内部に向けて、すなわち、上方に向けて、四隅が湾曲した略長角形の形状に膨らんでおり、閉鎖弁取付構造２７と底フレーム２６との位置合わせを容易にしている。また、この膨出部２６ａを囲む領域２６ｂは、略水平面を規定している。
【００３２】
（閉鎖弁取付構造）
図７は閉鎖弁取付構造２７の周囲の様子を正面上方から見た図であり、図８は、閉鎖弁取付構造２７の斜視図である。
閉鎖弁取付構造２７は、主として、正面から見て右側に位置する右側基部３０及び正面から見て左側に位置する左側基部４０と、これらの基部３０，４０の上端付近を結ぶようにして水平梁のように略水平に架けられた固定部５０とから構成される。基部３０，４０及び固定部５０は３つの部材に分割可能になっており、互いにネジ等によって固定されて組み立てられると図８に示すような門型の形状となる。
【００３３】
次に、右側基部３０について説明する。なお、左側基部４０については、以下の説明において参照符号３０〜３６をそれぞれ４０〜４６と読み代えることにより、同様に説明される。
右側基部３０は、底フレーム２６の膨出部２６ａにより位置合わせされて、底フレーム２６の領域２６ｂ上に立脚する。右側基部３０は、主として、本体部３１、底面部３２、第１側壁部３３、第２側壁部３４及び第３側壁部３５から構成され、所定の形に板取りされた１枚の金属板が折り曲げられることにより成形される。
【００３４】
本体部３１は、略鉛直方向縦長に延びる平らな板状の部材であり、その下端が底面部３２に連続している。底面部３２は、略水平方向に広がる平らな板状の部材であり、その平らな面が略水平方向に広がる底フレーム２６の領域２６ｂに面で接している。底面部３２は、左側基部４０に近い側の輪郭に沿った部位（係合部）３２ａが湾曲しており、その部位３２ａは、底フレーム２６の膨出部２６ａの輪郭と、膨出部２６ａの一の角付近において係合する。また、底面部３２の中央付近には、底面部３２と底フレーム２６とを締結するネジを通すための穴が開いている。さらに、底面部３２には、この穴を通って取り付けられたネジのネジ山を囲むような位置にリブ３２ｂが設けられている。このリブ３２ｂによって、圧縮機１１の運転時の閉鎖弁取付構造２７の振動が極小化されるようになっている。
【００３５】
第１側壁部３３は、略鉛直方向縦長に延びる板状の部材であり、本体部３１の左側基部４０に近い側に連続し、その平らな面が本体部３１と略９０°の角度をなしている。第２側壁部３４は、略鉛直方向縦長に延びる板状の部材であり、本体部３１の左側基部４０に遠い側に連続し、その平らな面が本体部３１と略９０°の角度をなしている。また、第１側壁部３３は、本体部３１に対して底面部３２と反対方向に存在しており、第２側壁部３４は、本体部３１に対して底面部３２と同じ方向に存在している。第３側壁部３５は、略鉛直方向横長に延びる板状の部材であり、底面部３２の左側基部４０に遠い側に連続し、その平らな面が底面部３２と略９０°の角度をなしている。そして、このような右側基部３０及びこれと同様の左側基部４０の折れ曲り構造により、閉鎖弁取付構造２７の強度が向上するようになっている。また、第２側壁部３４と第３側壁部３５との重なり部分３６がスポット溶接され、さらなる強度の向上が見込まれている。
【００３６】
次に、固定部５０について説明する。
固定部５０は、所定の形に板取りされた１枚の金属板が折り曲げられることにより成形される。固定部５０は、その左右の端部においてそれぞれネジ等の締結部材により基部３０，４０の上端に固定されて、基部３０，４０を柱として横長に延びる水平梁のような形状になっている。また、固定部５０は、強度の向上のために、略９０°の角度で４回折り曲げられてその縦断面視形状が山型ないし階段状となっている。
【００３７】
また、固定部５０には、その上端に沿って略半円形状の切り込み５１，５２が形成されている。切り込み５１の半径は切り込み５２の半径よりも大きく、切り込み５１にはガス側閉鎖弁１８が、切り込み５２には液側閉鎖弁１９が挿入されて固定される。さらに、固定部５０には、冷媒充填用のポートを受け取り固定するための略半円形状の切り込み５３が形成されている。
【００３８】
ガス側閉鎖弁１８の配管接続口１８ａも液側閉鎖弁１９の配管接続口１９ａも、同じ下側を向いている。この閉鎖弁１８，１９は、フレアナットやフランジにより冷媒連絡配管１７ａ，１７ｂと接合する構造とはなっておらず、ロウ付けによって冷媒連絡配管１７ａ，１７ｂと接合される。これにより、現地における閉鎖弁１８，１９と冷媒連絡配管１７ａ，１７ｂとの接合作業では、ネジ締め作業がなくなり施工性が向上するとともに、冷媒漏れの虞も低減できている。
【００３９】
＜特徴＞
（１）
この閉鎖弁取付構造２７は、主として２本の柱状の基部３０，４０とこれらの基部３０，４０に架けられた水平梁状の固定部５０とから構成される門型の形状をしており、閉鎖弁１８，１９を固定している部分の下方が開放された空間となる。すなわち、現地において閉鎖弁１８，１９と冷媒連絡配管１７ａ，１７ｂとの接合作業を行うための作業スペースが確保された状態になっている。このため、室外ユニット２における閉鎖弁１８，１９と冷媒連絡配管１７ａ，１７ｂとの接合作業の作業性が向上する他、閉鎖弁取付構造２７の周囲に存在する他の部材に関する作業についてもその作業性が向上する。例えば、接合作業をロウ付けにより行う場合には、この開放された空間にロウ付け作業用のバーナーを配置することが可能である。また、この場合、バーナー等の炎で閉鎖弁取付構造２７自体を焼いてしまうといった不具合を回避し易くなる。
また、この空間により、門を通り抜けるようにして閉鎖弁取付構造２７の前後に配管等の他の部材を配置することが可能であり、室外ユニット２の設計において部材の配置の自由度が増すことになる。さらに、従来のように板状の部材とする場合に比して、材料費を削減することが可能になる。
【００４０】
（２）
この閉鎖弁取付構造２７では、２本の柱状の基部３０，４０と水平梁状の固定部５０とが別体になっており、これらの部材３０，４０，５０が組み合わされることにより閉鎖弁取付構造２７が形成される。従って、機種の異なる、すなわち、閉鎖弁の数や大きさ等が異なる複数の室外ユニット間において、固定部５０のみをその機種の配管構成に対応するものとして、基部３０，４０を共用することが可能であり、新機種の空気調和装置を開発する際に金型費を削減する等して開発コストを低減することができる。例えば、冷暖フリーの機種に対応する固定部であれば、本実施形態の固定部５０において切り込み５２の正面から見て右側に専用部品を支持できるようなさらなる切り込みを設けたような構成となる。
また、基部３０，４０と固定部５０との製造時の板取りを効率的に行うことが可能になり、材料費を削減することができる。
【００４１】
（３）
この室外ユニット２の底フレーム２６の表面には、上方に向けて膨出した膨出部２６ａが形成されている。そして、閉鎖弁取付構造２７は、その基部３０，４０の部位３２ａ，４２ａがこの膨出部２６ａの輪郭と部分的に係合するような位置に配置される。すなわち、この室外ユニット２では、底フレーム２６の膨出部２６ａと閉鎖弁取付構造２７の基部３０，４０の部位３２ａ，４２ａとが係合可能な形状となっているため、底フレーム２６と閉鎖弁取付構造２７との位置決めを容易に行うことができるようになっている。
また、このように、底フレーム２６と閉鎖弁取付構造２７とが固定され易くなっているため、締結部材の数を削減することができる。
【００４２】
＜変形例＞
上記実施形態では、閉鎖弁取付構造２７が門型の形状をしているが、本発明はこの態様に限定されない。例えば、閉鎖弁取付構造は、１本の柱状の基部とその基部に支えられる水平梁状の固定部とから構成されるＬ字型、Ｔ字型の形状をしていてもよい。
【産業上の利用可能性】
【００４３】
本発明は、空気調和装置の室外ユニットにおける閉鎖弁と冷媒連絡配管との接合作業の作業性を向上させることができるという効果を有し、空気調和装置の室外ユニットにおいて閉鎖弁を固定するための閉鎖弁取付構造、及びこれを備える空気調和装置の室外ユニットとして有用である。
【図面の簡単な説明】
【００４４】
【図１】本発明の一実施形態に係る室外ユニットを含む空気調和装置の冷媒回路図。
【図２】室外ユニットの外観図。
【図３】ケーシングの一部や室外ファンを取り除いた状態での室外ユニットの斜視図。
【図４】室外ユニットの内部上面視図。
【図５】底フレームの平面図。
【図６】図５のＶＩ−ＶＩ断面図。
【図７】閉鎖弁取付構造の周囲の様子を示す図。
【図８】閉鎖弁取付構造の斜視図。
【図９】従来の閉鎖弁取付構造の斜視図。
【符号の説明】
【００４５】
１    空気調和装置
２    室外ユニット
３    室内ユニット
１７ａ，１７ｂ    冷媒連絡配管
１８    ガス側閉鎖弁
１９    液側閉鎖弁
２６    底フレーム
２６ａ    膨出部
２７    閉鎖弁取付構造
３０    右側基部
３２ａ，４２ａ    係合部
４０    左側基部
５０    固定部
【図１】
2007147247.tif 000003
【図２】
2007147247.tif 000004
【図３】
2007147247.tif 000005
【図４】
2007147247.tif 000006
【図５】
2007147247.tif 000007
【図６】
2007147247.tif 000008
【図７】
2007147247.tif 000009
【図８】
2007147247.tif 000010
【図９】
2007147247.tif 000011
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
空気調和装置（１）の室外ユニット（２）において、前記空気調和装置（１）の室内ユニット（３）に冷媒連絡配管（１７ａ，１７ｂ）を介して接続される閉鎖弁（１８，１９）を固定するための閉鎖弁取付構造（２７）であって、
前記室外ユニット（２）の底フレーム（２６）から上方に延びる基部（３０，４０）と、
前記基部（３０，４０）に連続し、前記閉鎖弁（１８，１９）を固定する固定部（５０）と、
を備え、
前記閉鎖弁（１８，１９）の接続箇所（１８ａ，１９ａ）と前記冷媒連絡配管（１７ａ，１７ｂ）とは、ロウ付けされ、
前記固定部（５０）に固定された状態の前記閉鎖弁（１８，１９）の下方には、前記閉鎖弁（１８，１９）の前記接続箇所（１８ａ，１９ａ）と前記冷媒連絡配管（１７ａ，１７ｂ）とのロウ付け作業用の空隙がある、
閉鎖弁取付構造（２７）。
【請求項２】
前記基部（３０，４０）は、前記固定部（５０）を固定するための部材である、
請求項１に記載の閉鎖弁取付構造（２７）。
【請求項３】
前記基部（３０，４０）は、２本の柱状の部材から形成され、
前記固定部（５０）は、前記２本の柱状の部材の双方に連続する、
請求項１または２に記載の閉鎖弁取付構造（２７）。
【請求項４】
前記基部（３０，４０）と前記固定部（５０）とは、分割可能である、
請求項１から３のいずれかに記載の閉鎖弁取付構造（２７）。
【請求項５】
前記底フレーム（２６）は、前記室外ユニット（２）の内部に向けて膨出する膨出部（２６ａ）を有し、
前記基部（３０，４０）は、前記膨出部（２６ａ）の輪郭の少なくとも一部分と係合する係合部（３２ａ，４２ａ）を有する、
請求項１から４のいずれかに記載の閉鎖弁取付構造（２７）。
【請求項６】
底フレーム（２６）を有するケーシングと、
室内ユニット（３）に冷媒連絡配管（１７ａ，１７ｂ）を介して接続される閉鎖弁（１８，１９）と、
前記閉鎖弁（１８，１９）を固定するための閉鎖弁取付構造（２７）と、
を備え、
前記閉鎖弁取付構造（２７）は、
前記底フレーム（２６）から上方に延びる基部（３０，４０）と、
前記基部（３０，４０）に連続し、前記閉鎖弁（１８，１９）を固定する固定部（５０）と、
を有し、
前記閉鎖弁（１８，１９）の接続箇所（１８ａ，１９ａ）と前記冷媒連絡配管（１７ａ，１７ｂ）とは、ロウ付けされ、
前記閉鎖弁（１８，１９）の下方には、前記閉鎖弁（１８，１９）の前記接続箇所（１８ａ，１９ａ）と前記冷媒連絡配管（１７ａ，１７ｂ）とのロウ付け作業用の空隙がある、
空気調和装置（１）の室外ユニット（２）。
【手続補正２】
【補正対象書類名】明細書
【補正対象項目名】全文
【補正方法】変更
【補正の内容】
【発明の詳細な説明】
【技術分野】
【０００１】
本発明は、空気調和装置の室外ユニットにおいて閉鎖弁を固定するための閉鎖弁取付構造、及びこれを備える空気調和装置の室外ユニットに関する。
【背景技術】
【０００２】
ビル等の建物や一般の住宅において利用されている空気調和装置では、室内ユニットと室外ユニットとを冷媒連絡配管で接続するセパレート型のものが広く普及している。例えば、ビルに設置されるマルチタイプのセパレート型空気調和装置では、屋上等に室外ユニットが、各フロアの天井等に室内ユニットが配置され、ガス側冷媒連絡配管及び液側冷媒連絡配管によって室外ユニットと室内ユニットとを連絡させて冷媒回路を形成している。
【０００３】
このような空気調和装置の室外ユニットは、内部の冷媒回路の末端に、ガス側閉鎖弁及び液側閉鎖弁を備えている。これらの閉鎖弁は、現地において室外ユニット及び室内ユニットが配備された後に、室内ユニットからのガス側冷媒連絡配管及び液側冷媒連絡配管に接続され、その後、閉状態から開状態に切り換えられる。これにより、室外ユニットと室内ユニットとの間で冷媒が流通できるようになる。
【０００４】
ところで、従来の室外ユニットにおけるガス側閉鎖弁及び液側閉鎖弁は、特許文献１に示されるように、室外ユニットの底フレームに立脚する取付板によって固定される構造となっていることがある。このような取付板は、特許文献１の図中には明瞭には示されていないが、概ね図９に示す取付板１００のような形状をしていることが多い。取付板１００は、１枚の板状の部材がＬ字型に折り曲げられた形状となっており、折り曲げられた一方の部分１０１は室外ユニットの底フレームに面で接し、他方の部分１０２には閉鎖弁を挿入するための切り込み１０２ａ，１０２ｂが形成される。
【特許文献１】特開２００４−３７００７号公報
【発明の開示】
【発明が解決しようとする課題】
【０００５】
しかしながら、閉鎖弁がこのような取付板に固定されている場合には、閉鎖弁と冷媒連絡配管との接合が困難になる場合がある。例えば、閉鎖弁と冷媒連絡配管との接合がロウ付け（金属と金属とをロウを使い熱で接合すること）によって行われる場合には、接合部に当てるためのバーナー等の炎が取付板にまで及ぶ虞がある。また、取付板の前後で空間が仕切られてしまうため、作業スペースが制限されることとなり、結果として、接合作業を行う作業者の手の向きや工具を動かす角度等が制限を受けて、作業者が接合作業時に大かれ少なかれ不自由を強いられることになる。
【０００６】
本発明の目的は、空気調和装置の室外ユニットにおける閉鎖弁と冷媒連絡配管との接合作業の作業性を向上させることにある。
【課題を解決するための手段】
【０００７】
第１発明に係る閉鎖弁取付構造は、空気調和装置の室外ユニットにおいて閉鎖弁を固定するためのものであって、基部と、固定部とを備える。閉鎖弁は、空気調和装置の室内ユニットに冷媒連絡配管を介して接続される。基部は、室外ユニットの底フレームから上方に延びる。固定部は、基部に連続し、閉鎖弁を固定する。閉鎖弁の接続箇所と冷媒連絡配管とは、ロウ付けされる。そして、固定部に固定された状態の閉鎖弁の下方には、閉鎖弁の接続箇所と冷媒連絡配管とのロウ付け作業用の空隙がある。
【０００８】
この閉鎖弁取付構造では、空気調和装置の室外ユニットの底フレームから上方に延びる基部に連続する固定部が、閉鎖弁を固定する。そして、固定部に固定された状態の閉鎖弁の下方、すなわち、固定部のうち閉鎖弁を固定している部分の下方には、基部が存在せず、空隙が広がっている。すなわち、この閉鎖弁取付構造は、主として、室外ユニットの底フレーム上に立脚する柱状の基部と、その基部により支えられる梁状の固定部とから構成される構造となっている。なお、基部と固定部とは一体的に形成されていてもよいし、別体となっていてもよい。
【０００９】
ところで、空気調和装置の室外ユニットを現地に設置する際には、室内ユニットへとつながる冷媒連絡配管に閉鎖弁を接合する作業が必要となる。このとき、例えば、従来のように、閉鎖弁取付構造が１枚の略長方形の板状の部材から成形される場合には、バーナー等の炎で閉鎖弁取付構造のロウ付け位置以外を焼いてしまったり、閉鎖弁取付構造自体によって空間が仕切られて作業スペースが制限されてしまったりする。他方、第１発明に係る閉鎖弁取付構造が採用された室外ユニットにおいては、閉鎖弁の下方が開放された空間となっているため、そうした問題が解消されることになる。
【００１０】
このように、この閉鎖弁取付構造では、空気調和装置の室外ユニットにおける閉鎖弁と冷媒連絡配管との接合作業の作業性が向上する。
【００１１】
第２発明に係る閉鎖弁取付構造は、第１発明に係る閉鎖弁取付構造であって、基部は、固定部を固定するための部材である。
【００１２】
第３発明に係る閉鎖弁取付構造は、第１発明又は第２発明に係る閉鎖弁取付構造であって、基部は、２本の柱状の部材から形成される。固定部は、２本の柱状の部材の双方に連続する。
【００１３】
この閉鎖弁取付構造では、梁状の固定部が２本の柱状の部材に連続する。すなわち、この閉鎖弁取付構造は、全体として門型の構造となっている。従って、この閉鎖弁取付構造では、閉鎖弁の下方に開放された空間を形成して閉鎖弁と冷媒連絡配管との接合作業の作業性を向上させつつ、全体としての強度を高めることができる。
【００１４】
第４発明に係る閉鎖弁取付構造は、第１発明から第３発明のいずれかに係る閉鎖弁取付構造であって、基部と固定部とは、分割可能である。
【００１５】
一般的に、空気調和装置の室外ユニットに取り付けられる閉鎖弁の数や大きさは、その空気調和装置の馬力やその空気調和装置が冷暖フリー型になっているか否かの違い等によって異なるものになる。従って、空気調和装置の機種が異なれば、用いられる閉鎖弁取付構造の形状も異なるものになる。
【００１６】
他方、第４発明に係る閉鎖弁取付構造では、柱状の基部と梁状の固定部とが別体であり、分割することが可能である。これにより、新機種の空気調和装置を開発する際には、固定部のみを新たに設計し直して、基部を共用することができる。
【００１７】
第５発明に係る閉鎖弁取付構造は、第１発明から第４発明のいずれかに係る閉鎖弁取付構造であって、底フレームは、室外ユニットの内部に向けて膨出する膨出部を有する。基部は、係合部を有する。係合部は、膨出部の輪郭の少なくとも一部分と係合する。
【００１８】
この閉鎖弁取付構造では、基部の特定の部分（係合部）が、底フレームに設けられた膨出部の少なくとも一部分と係合するようになっている。従って、この閉鎖弁取付構造では、この閉鎖弁取付構造と室外ユニットの底フレームとの位置合わせが容易になるとともに、閉鎖弁取付構造を底フレームに対してより強固に固定することができる。
【００１９】
第６発明に係る空気調和装置の室外ユニットは、ケーシングと、閉鎖弁と、閉鎖弁取付構造とを備える。ケーシングは、底フレームを有する。閉鎖弁は、室内ユニットに冷媒連絡配管を介して接続される。閉鎖弁取付構造は、閉鎖弁を固定するためのものである。閉鎖弁取付構造は、基部と、固定部とを有する。基部は、底フレームから上方に延びる。固定部は、基部に連続し、閉鎖弁を固定する。閉鎖弁の接続箇所と冷媒連絡配管とは、ロウ付けされる。そして、閉鎖弁の下方には、閉鎖弁の接続箇所と冷媒連絡配管とのロウ付け作業用の空隙がある。
【００２０】
この空気調和装置の室外ユニットでは、閉鎖弁取付構造により閉鎖弁が固定される。この閉鎖弁取付構造では、室外ユニットの底フレームから上方に延びる基部に連続する固定部が、閉鎖弁を固定する。そして、固定部に固定された状態の閉鎖弁の下方、すなわち、固定部のうち閉鎖弁を固定している部分の下方には、基部が存在せず、空隙が広がっている。すなわち、この閉鎖弁取付構造は、主として、室外ユニットの底フレーム上に立脚する柱状の基部と、その基部により支えられる梁状の固定部とから構成される構造となっている。なお、基部と固定部とは一体的に形成されていてもよいし、別体となっていてもよい。
【００２１】
ところで、空気調和装置の室外ユニットを現地に設置する際には、室内ユニットへとつながる冷媒連絡配管に閉鎖弁を接合する作業が必要となる。このとき、例えば、従来のように、閉鎖弁取付構造が１枚の略長方形の板状の部材から成形される場合には、バーナー等の炎で閉鎖弁取付構造のロウ付け位置以外を焼いてしまったり、閉鎖弁取付構造自体によって空間が仕切られて作業スペースが制限されてしまったりする。他方、第６発明に係る室外ユニットにおいては、閉鎖弁の下方が開放された空間となっているため、そうした問題が解消されることになる。
【００２２】
このように、この室外ユニットでは、閉鎖弁と冷媒連絡配管との接合作業の作業性が向上する。
【発明の効果】
【００２３】
第１発明に係る閉鎖弁取付構造では、空気調和装置の室外ユニットの底フレームから上方に延びる基部に連続する固定部が、閉鎖弁を固定する。そして、固定部に固定された状態の閉鎖弁の下方、すなわち、固定部のうち閉鎖弁を固定している部分の下方には、空隙がある。すなわち、この閉鎖弁取付構造は、主として、室外ユニットの底フレーム上に立脚する柱状の基部と、その基部により支えられる梁状の固定部とから構成される構造となっている。このように、この閉鎖弁取付構造では、閉鎖弁の下方が開放された空間となっているため、空気調和装置の室外ユニットにおける閉鎖弁と冷媒連絡配管との接合作業の作業性が向上する。
【００２４】
第３発明に係る閉鎖弁取付構造では、梁状の固定部が２本の柱状の部材に連続する。すなわち、この閉鎖弁取付構造は、全体として門型の構造となっている。従って、この閉鎖弁取付構造では、閉鎖弁の下方に開放された空間を形成して閉鎖弁と冷媒連絡配管との接合作業の作業性を向上させつつ、全体としての強度を高めることができる。
【００２５】
第４発明に係る閉鎖弁取付構造では、柱状の基部と梁状の固定部とが別体であり、分割することが可能である。これにより、新機種の空気調和装置を開発する際には、固定部のみを新たに設計し直して、基部を共用することができる。
【００２６】
第５発明に係る閉鎖弁取付構造では、基部の特定の部分（係合部）が、底フレームに設けられた膨出部の少なくとも一部分と係合するようになっている。従って、この閉鎖弁取付構造では、この閉鎖弁取付構造と室外ユニットの底フレームとの位置合わせが容易になるとともに、閉鎖弁取付構造を底フレームに対してより強固に固定することができる。
【００２７】
第６発明に係る空気調和装置の室外ユニットでは、閉鎖弁取付構造により閉鎖弁が固定される。この閉鎖弁取付構造では、室外ユニットの底フレームから上方に延びる基部に連続する固定部が、閉鎖弁を固定する。そして、固定部に固定された状態の閉鎖弁の下方、すなわち、固定部のうち閉鎖弁を固定している部分の下方には、空隙がある。すなわち、この閉鎖弁取付構造は、主として、室外ユニットの底フレーム上に立脚する柱状の基部と、その基部により支えられる梁状の固定部とから構成される構造となっている。このように、この室外ユニットでは、閉鎖弁の下方が開放された空間となっているため、閉鎖弁と冷媒連絡配管との接合作業の作業性が向上する。
【発明を実施するための最良の形態】
【００２８】
＜空気調和装置の構成＞
図１に、本発明の一実施形態に係る室外ユニット２を含む空気調和装置１の冷媒回路１０を示す。空気調和装置１は、ビル用のマルチタイプの空気調和装置であって、１つ又は複数の室外ユニット２に対して複数の室内ユニット３が並列に接続される構成となっている。空気調和装置１の冷媒回路１０は、主として、圧縮機１１、四路切換弁１２、室外熱交換器１３、室外膨張弁１４、室内膨張弁１５、室内熱交換器１６が順に接続されたものであり、蒸気圧縮式の冷凍サイクルとなっている。
【００２９】
圧縮機１１、四路切換弁１２、室外熱交換器１３及び室外膨張弁１４は室外ユニット２に含まれており、室内膨張弁１５及び室内熱交換器１６は室内ユニット３に含まれている。また、四路切換弁１２と室内熱交換器１６との間はガス側冷媒連絡配管１７ａにより接続され、室外膨張弁１４と室内膨張弁１５との間は液側冷媒連絡配管１７ｂにより接続される。冷媒連絡配管１７ａ，１７ｂは、室外ユニット２と室内ユニット３との間に配置される。また、室外ユニット２内には、アキュムレータやその他の付属機器も設けられているが、ここでは図示を省略している。
【００３０】
室外ユニット２の内部の冷媒回路の末端部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。これらの閉鎖弁１８，１９は、室外ユニット２や室内ユニット３を設置する時には閉状態にされている。そして、閉鎖弁１８，１９は、各ユニット２，３を現地に設置しガス側冷媒連絡配管１７ａ及び液側冷媒連絡配管１７ｂを閉鎖弁１８，１９に接続した後に開状態とされる。
【００３１】
図１に示す空気調和装置１の冷媒回路１０は、実際の回路を簡略化したものである。例えば、実際の圧縮機１１は、インバータにより回転数制御が為される容量可変の圧縮機（以下、インバータ圧縮機という。）と、オンオフ制御が為される定容量の圧縮機（以下、定容量圧縮機という。）とが設置物件の大小に対応して５，８，１０，１２，１４，１６，１８馬力（ＨＰ）といった様々な馬力を実現するように組み合わされてなることが多い。なお、本実施形態の説明においては、圧縮機１１として、１台のインバータ圧縮機１１ａと１台の定容量圧縮機１１ｂとが組み合わされているものとする（図４参照）。
【００３２】
また、室外ユニット２には、室外熱交換器１３に空気を当てて冷媒と空気との熱交換を促進させる室外ファン２９が設けられている（図２参照）。
【００３３】
＜空気調和装置の動作＞
次に、この空気調和装置１の運転動作について説明する。
【００３４】
まず、冷房運転時は、四路切換弁１２が図１において実線で示す状態に保持される。圧縮機１１から吐出された高温高圧のガス冷媒は、四路切換弁１２を介して室外熱交換器１３に流入し、室外空気と熱交換して凝縮・液化する。液化した冷媒は、全開状態の室外膨張弁１４を通過し、液側冷媒連絡配管１７ｂを通って各室内ユニット３に流入する。室内ユニット３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内へと吹き出され、室内を冷房する。また、室内熱交換器１６で蒸発して気化した冷媒は、ガス側冷媒連絡配管１７ａを通って室外ユニット２に戻り、圧縮機１１に吸入される。
【００３５】
一方、暖房運転時は、四路切換弁１２が図１において破線で示す状態に保持される。圧縮機１１から吐出された高温高圧のガス冷媒は、四路切換弁１２を介して各室内ユニット３の室内熱交換器１６に流入し、室内空気と熱交換して凝縮・液化する。冷媒の凝縮によって加熱された室内空気は、室内ファンによって室内へと吹き出され、室内を暖房する。室内熱交換器１６において液化した冷媒は、全開状態の室内膨張弁１５から液側冷媒連絡配管１７ｂを通って室外ユニット２に戻る。室外ユニット２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸入される。
【００３６】
なお、冷房運転時及び暖房運転時のいずれの場合においても、停止中の室内ユニット３の室内膨張弁１５は閉状態になっており、その室内ユニット３の室内熱交換器１６には冷媒が殆ど流れない。
【００３７】
＜室外ユニットの構成＞
次に、図２〜図９を参照して、室外ユニット２について詳述する。なお、図３、図４及び図７においては、説明を容易にするために、適宜、配管などについての図示を省略している。
【００３８】
図２は、室外ユニット２の外観図であり、図３は、ケーシングの一部や室外ファン２９を取り除いた状態での室外ユニット２の斜視図である。図３においては、閉鎖弁１８，１９及び閉鎖弁取付構造２７の図示を省略している。
【００３９】
ケーシングの左側面板２２、右側面板２４は、それぞれ支柱８１，８２、支柱８３，８４とともに一体に成形されている。側面板２２，２４には、室外ユニット２のケーシング内に空気を取り込むための開口２０が設けられている。ケーシングの背面板２３、正面板２１は、それぞれ支柱８１，８４、支柱８２，８３の外側に装着される。また、鉛直に延びる４本の支柱８１〜８４は、下端付近の底フレーム２６や上部の横ステー７２及びモータ支持台７３によって互いに連結されている。モータ支持台７３には、室外ファン２９を駆動するモータ７０が据え付けられている。ケーシングの天板２５は、その外周縁部が支柱８１〜８４あるいは側面板２２，２４や背面板２３に固定されており、室外ファン２９の羽根車の周囲に配置される略円筒形状のベルマウス２９ａとともに室外ユニット２の空気吹出口を形成する。そして、この天板２５には、ベルマウス２９ａに対応する円孔が開けられており、この円孔を覆うようにして格子状の軟鋼線のファンカバー（図示せず）が取り付けられている。また、正面板２１の裏には、空気調和装置１の動作を制御する制御基板を内部に備えるスイッチボックス７１が配置されている。
【００４０】
（閉鎖弁及び底フレーム）
図４は、室外ユニット２の高さ方向の中央部分から下方を見たときの平面図である。このように、底フレーム２６は、圧縮機１１や室外熱交換器１３などを支持するとともに、閉鎖弁取付構造２７を介して閉鎖弁１８，１９を固定する役割も果たしている。室外ユニット２のガス側閉鎖弁１８及び液側閉鎖弁１９は、互いに隣接して並べられている。そして、ガス側閉鎖弁１８及び液側閉鎖弁１９の並びの方向は、ケーシングの正面板２１に対しても側面板２２に対しても、概ね４５°の角度となっている。すなわち、ガス側閉鎖弁１８と液側閉鎖弁１９とは離れて配置されているとともに、左右方向（正面板２１に沿う方向）にオフセットされ、且つ前後方向（左側面板２２に沿う方向）にもオフセットされている。これにより、閉鎖弁１８，１９は、前後にも左右にも配管を引き出し易くなっているとともに、冷媒連絡配管１７ａ，１７ｂのラッキング（両管を保温テープで巻いたり化粧金属板でカバーしたりする）作業も楽になり、その太さも細くできて見栄えが良くなる。
【００４１】
図５は、底フレーム２６の平面図であり、図６は、底フレーム２６に形成される膨出部２６ａの、図５に示すＶＩ−ＶＩ方向の縦断面図である。図５には、参考のために、インバータ圧縮機１１ａ、定容量圧縮機１１ｂ及び閉鎖弁取付構造２７の取付け位置が一点鎖線で示されている。底フレーム２６の表面には、各部材が適切に固定されるように、膨出部２６ａを含む凹凸のパターンが描かれている。膨出部２６ａは、室外ユニット２の内部に向けて、すなわち、上方に向けて、四隅が湾曲した略長角形の形状に膨らんでおり、閉鎖弁取付構造２７と底フレーム２６との位置合わせを容易にしている。また、この膨出部２６ａを囲む領域２６ｂは、略水平面を規定している。
【００４２】
（閉鎖弁取付構造）
図７は閉鎖弁取付構造２７の周囲の様子を正面上方から見た図であり、図８は、閉鎖弁取付構造２７の斜視図である。
【００４３】
閉鎖弁取付構造２７は、主として、正面から見て右側に位置する右側基部３０及び正面から見て左側に位置する左側基部４０と、これらの基部３０，４０の上端付近を結ぶようにして水平梁のように略水平に架けられた固定部５０とから構成される。基部３０，４０及び固定部５０は３つの部材に分割可能になっており、互いにネジ等によって固定されて組み立てられると図８に示すような門型の形状となる。
【００４４】
次に、右側基部３０について説明する。なお、左側基部４０については、以下の説明において参照符号３０〜３６をそれぞれ４０〜４６と読み代えることにより、同様に説明される。
【００４５】
右側基部３０は、底フレーム２６の膨出部２６ａにより位置合わせされて、底フレーム２６の領域２６ｂ上に立脚する。右側基部３０は、主として、本体部３１、底面部３２、第１側壁部３３、第２側壁部３４及び第３側壁部３５から構成され、所定の形に板取りされた１枚の金属板が折り曲げられることにより成形される。
【００４６】
本体部３１は、略鉛直方向縦長に延びる平らな板状の部材であり、その下端が底面部３２に連続している。底面部３２は、略水平方向に広がる平らな板状の部材であり、その平らな面が略水平方向に広がる底フレーム２６の領域２６ｂに面で接している。底面部３２は、左側基部４０に近い側の輪郭に沿った部位（係合部）３２ａが湾曲しており、その部位３２ａは、底フレーム２６の膨出部２６ａの輪郭と、膨出部２６ａの一の角付近において係合する。また、底面部３２の中央付近には、底面部３２と底フレーム２６とを締結するネジを通すための穴が開いている。さらに、底面部３２には、この穴を通って取り付けられたネジのネジ山を囲むような位置にリブ３２ｂが設けられている。このリブ３２ｂによって、圧縮機１１の運転時の閉鎖弁取付構造２７の振動が極小化されるようになっている。
【００４７】
第１側壁部３３は、略鉛直方向縦長に延びる板状の部材であり、本体部３１の左側基部４０に近い側に連続し、その平らな面が本体部３１と略９０°の角度をなしている。第２側壁部３４は、略鉛直方向縦長に延びる板状の部材であり、本体部３１の左側基部４０に遠い側に連続し、その平らな面が本体部３１と略９０°の角度をなしている。また、第１側壁部３３は、本体部３１に対して底面部３２と反対方向に存在しており、第２側壁部３４は、本体部３１に対して底面部３２と同じ方向に存在している。第３側壁部３５は、略鉛直方向横長に延びる板状の部材であり、底面部３２の左側基部４０に遠い側に連続し、その平らな面が底面部３２と略９０°の角度をなしている。そして、このような右側基部３０及びこれと同様の左側基部４０の折れ曲り構造により、閉鎖弁取付構造２７の強度が向上するようになっている。また、第２側壁部３４と第３側壁部３５との重なり部分３６がスポット溶接され、さらなる強度の向上が見込まれている。
【００４８】
次に、固定部５０について説明する。
【００４９】
固定部５０は、所定の形に板取りされた１枚の金属板が折り曲げられることにより成形される。固定部５０は、その左右の端部においてそれぞれネジ等の締結部材により基部３０，４０の上端に固定されて、基部３０，４０を柱として横長に延びる水平梁のような形状になっている。また、固定部５０は、強度の向上のために、略９０°の角度で４回折り曲げられてその縦断面視形状が山型ないし階段状となっている。
【００５０】
また、固定部５０には、その上端に沿って略半円形状の切り込み５１，５２が形成されている。切り込み５１の半径は切り込み５２の半径よりも大きく、切り込み５１にはガス側閉鎖弁１８が、切り込み５２には液側閉鎖弁１９が挿入されて固定される。さらに、固定部５０には、冷媒充填用のポートを受け取り固定するための略半円形状の切り込み５３が形成されている。
【００５１】
ガス側閉鎖弁１８の配管接続口１８ａも液側閉鎖弁１９の配管接続口１９ａも、同じ下側を向いている。この閉鎖弁１８，１９は、フレアナットやフランジにより冷媒連絡配管１７ａ，１７ｂと接合する構造とはなっておらず、ロウ付けによって冷媒連絡配管１７ａ，１７ｂと接合される。これにより、現地における閉鎖弁１８，１９と冷媒連絡配管１７ａ，１７ｂとの接合作業では、ネジ締め作業がなくなり施工性が向上するとともに、冷媒漏れの虞も低減できている。
【００５２】
＜特徴＞
（１）
この閉鎖弁取付構造２７は、主として２本の柱状の基部３０，４０とこれらの基部３０，４０に架けられた水平梁状の固定部５０とから構成される門型の形状をしており、閉鎖弁１８，１９を固定している部分の下方が開放された空間となる。すなわち、現地において閉鎖弁１８，１９と冷媒連絡配管１７ａ，１７ｂとの接合作業を行うための作業スペースが確保された状態になっている。このため、室外ユニット２における閉鎖弁１８，１９と冷媒連絡配管１７ａ，１７ｂとの接合作業の作業性が向上する他、閉鎖弁取付構造２７の周囲に存在する他の部材に関する作業についてもその作業性が向上する。例えば、接合作業をロウ付けにより行う場合には、この開放された空間にロウ付け作業用のバーナーを配置することが可能である。また、この場合、バーナー等の炎で閉鎖弁取付構造２７自体を焼いてしまうといった不具合を回避し易くなる。
【００５３】
また、この空間により、門を通り抜けるようにして閉鎖弁取付構造２７の前後に配管等の他の部材を配置することが可能であり、室外ユニット２の設計において部材の配置の自由度が増すことになる。さらに、従来のように板状の部材とする場合に比して、材料費を削減することが可能になる。
【００５４】
（２）
この閉鎖弁取付構造２７では、２本の柱状の基部３０，４０と水平梁状の固定部５０とが別体になっており、これらの部材３０，４０，５０が組み合わされることにより閉鎖弁取付構造２７が形成される。従って、機種の異なる、すなわち、閉鎖弁の数や大きさ等が異なる複数の室外ユニット間において、固定部５０のみをその機種の配管構成に対応するものとして、基部３０，４０を共用することが可能であり、新機種の空気調和装置を開発する際に金型費を削減する等して開発コストを低減することができる。例えば、冷暖フリーの機種に対応する固定部であれば、本実施形態の固定部５０において切り込み５２の正面から見て右側に専用部品を支持できるようなさらなる切り込みを設けたような構成となる。
【００５５】
また、基部３０，４０と固定部５０との製造時の板取りを効率的に行うことが可能になり、材料費を削減することができる。
【００５６】
（３）
この室外ユニット２の底フレーム２６の表面には、上方に向けて膨出した膨出部２６ａが形成されている。そして、閉鎖弁取付構造２７は、その基部３０，４０の部位３２ａ，４２ａがこの膨出部２６ａの輪郭と部分的に係合するような位置に配置される。すなわち、この室外ユニット２では、底フレーム２６の膨出部２６ａと閉鎖弁取付構造２７の基部３０，４０の部位３２ａ，４２ａとが係合可能な形状となっているため、底フレーム２６と閉鎖弁取付構造２７との位置決めを容易に行うことができるようになっている。
【００５７】
また、このように、底フレーム２６と閉鎖弁取付構造２７とが固定され易くなっているため、締結部材の数を削減することができる。
【００５８】
＜変形例＞
上記実施形態では、閉鎖弁取付構造２７が門型の形状をしているが、本発明はこの態様に限定されない。例えば、閉鎖弁取付構造は、１本の柱状の基部とその基部に支えられる水平梁状の固定部とから構成されるＬ字型、Ｔ字型の形状をしていてもよい。
【産業上の利用可能性】
【００５９】
本発明は、空気調和装置の室外ユニットにおける閉鎖弁と冷媒連絡配管との接合作業の作業性を向上させることができるという効果を有し、空気調和装置の室外ユニットにおいて閉鎖弁を固定するための閉鎖弁取付構造、及びこれを備える空気調和装置の室外ユニットとして有用である。
【図面の簡単な説明】
【００６０】
【図１】本発明の一実施形態に係る室外ユニットを含む空気調和装置の冷媒回路図。
【図２】室外ユニットの外観図。
【図３】ケーシングの一部や室外ファンを取り除いた状態での室外ユニットの斜視図。
【図４】室外ユニットの内部上面視図。
【図５】底フレームの平面図。
【図６】図５のＶＩ−ＶＩ断面図。
【図７】閉鎖弁取付構造の周囲の様子を示す図。
【図８】閉鎖弁取付構造の斜視図。
【図９】従来の閉鎖弁取付構造の斜視図。
【符号の説明】
【００６１】
１    空気調和装置
２    室外ユニット
３    室内ユニット
１７ａ，１７ｂ    冷媒連絡配管
１８    ガス側閉鎖弁
１９    液側閉鎖弁
２６    底フレーム
２６ａ    膨出部
２７    閉鎖弁取付構造
３０    右側基部
３２ａ，４２ａ    係合部
４０    左側基部
５０    固定部